(57)【要約】【課題】  第４フラップ及び第１フラップ同士を面接触により押えることができるようにし、押さえを強固にして、品物の押え機能の向上を図り、また、操作性の向上も図る。【解決手段】  第１乃至第４フラップ１，２，３，４を順に上から重ね、第４フラップ４の第４一端部４ａと第１フラップ１の第１他端部１ｂとを連結手段３０により連結し、第１乃至第４フラップの先端縁６によって天面１５に開口１６を形成して組み立てられるもので、連結手段３０を、第１フラップ１の第１他端部１ｂ及び第４フラップ４の第４一端部４ａに形成され、第４フラップ４の第４一端部４ａを第１フラップ１の第１他端部１ｂの上に重ねた状態で、第１フラップ１を引き上げることにより、互いに係合する一方溝３１及び他方溝３２で構成した。【選択図】図１
2008201445.tif 000002
【特許請求の範囲】
【請求項１】
互いに連続して枠状に形成される４つの矩形状の側壁に基端縁が夫々連設された第１乃至第４フラップを有し、上記第１フラップの第１一端部に該第１一端部に隣接する上記第２フラップの第２他端部を上から重ね、該第２フラップの第２一端部に該第２一端部に隣接する上記第３フラップの第３他端部を上から重ね、該第３フラップの第３一端部に該第３一端部に隣接する上記第４フラップの第４他端部を上から重ね、該第４フラップの第４一端部と上記第１フラップの第１他端部とを連結手段により連結し、上記第１乃至第４フラップの先端縁によって天面に開口を形成して組み立てられる段ボール箱において、
上記連結手段を、上記第１フラップの第１他端部及び上記第４フラップの第４一端部に形成され、上記第４フラップの第４一端部を上記第１フラップの第１他端部の上に重ねた状態で、該第１フラップを引き上げることにより、互いに係合する一方溝及び他方溝で構成し、該一方溝及び他方溝を、該一方溝及び他方溝同士を係合させたとき、上記第１フラップの一方溝より先端縁側の先端角部によって上記第４フラップの他方溝より先端縁側の先端片部を押え、上記第４フラップの他方溝より基端縁側の基端片部によって上記第１フラップの一方溝より基端縁側の基端角部を押えることができるように形成したことを特徴とする段ボール箱。
【請求項２】
上記一方溝及び他方溝を、上記第１フラップが設けられる側壁と上記第４フラップが設けられる側壁との連設線に沿う基準線に対して、互いに鏡面対象に形成したことを特徴とする請求項１記載の段ボール箱。
【請求項３】
上記一方溝及び他方溝の底部に、上記基準線に対して互いに鏡面対象に形成されるとともに上記第１及び第４フラップの基端縁に平行な方向に切り欠かれ互いに係合する切欠きを設けたことを特徴とする請求項２記載の段ボール箱。
【請求項４】
少なくとも上記第１フラップの先端角部の先端及び上記第４フラップの先端片部の先端を曲線で面取り形成したことを特徴とする請求項２または３記載の段ボール箱。
【請求項５】
上記第１フラップと上記第４フラップの互いに隣接する側縁を、互いに離間するように基端縁から先端縁に向けて傾斜形成したことを特徴とする請求項２乃至４何れかに記載の段ボール箱。
【発明の詳細な説明】
【技術分野】
【０００１】
本発明は、レタス等の野菜を始め種々の品物を収納する段ボール箱に係り、特に、天面に開口を形成して内部の品物が見えるようにした段ボール箱に関する。
【背景技術】
【０００２】
従来、この種の段ボール箱としては、例えば、特開２００２−６８１６５号公報に記載されたものが知られている（特許文献１参照）。
これは、図６及び図７に示すように、互いに連続して枠状に形成される４つの矩形状の側壁１１，１２，１３，１４に基端縁５が夫々連設された第１乃至第４フラップ１，２，３，４を有し、第１フラップ１の第１一端部１ａにこの第１一端部１ａに隣接する第２フラップ２の第２他端部２ｂを上から重ね、第２フラップ２の第２一端部２ａにこの第２一端部２ａに隣接する第３フラップ３の第３他端部３ｂを上から重ね、第３フラップ３の第３一端部３ａにこの第３一端部３ａに隣接する第４フラップ４の第４他端部４ａを上から重ね、第４フラップ４の第４一端部４ａを上記の第１フラップ１の第１他端部１ｂの上に重ね、更に、第１他端部１ｂと第４一端部４ａとを連結手段１００により連結し、第１乃至第４フラップ１，２，３，４の先端縁６によって天面１５に開口１６を形成するようにしている。
【０００３】
この従来の段ボール箱において、連結手段１００は、第１フラップ１の第１他端部１ｂに切込み形成されたＴ字状の係合片１０１と、第４フラップ４の第４一端部１ａに形成され係合片１０１が挿通されて係合する係合孔１０２とを備えて構成されている。係合片１０１は、基端部が第１他端部１ｂに連設された軸部１０３と、軸部１０３に連設され軸部１０３より幅広の頭部１０４とを備えている。そして、第１他端部１ｂと第４一端部４ａとを連結するときは、軸部１０３を第１他端部１ｂから引起こし、頭部１０４を湾曲させて係合孔１０２に挿通し、軸部１０３を係合孔１０４に貫通させる。この状態では、頭部１０４の下縁が係合孔１０３の周囲に当接して抜け止めされ、第１他端部１ｂと第４一端部４ａとが連結されるとともに、第１フラップ１の第１一端部１ａが第２フラップ２の第２他端部２ｂに押さえられ、第２フラップ２の第２一端部２ａが第３フラップ３の第３他端部３ｂにより押さえられ、第３フラップ３の第３一端部３ａが第４フラップ４の第４他端部４ｂにより押さえられるので、開口１６から内部の品物が見えるように天面１５が閉じられる。
【０００４】
【特許文献１】特開２００２−６８１６５号公報
【発明の開示】
【発明が解決しようとする課題】
【０００５】
ところで、この従来の段ボール箱の連結手段１００においては、図７に示すように、軸部１０３が係合孔１０２に貫通し、頭部１０４が係合孔１０２の周囲に当接して抜け止めされているが、軸部１０３にはある程度の長さがあるので、軸部１０３の長さ分、第４フラップ４の第４一端部４ａが第１フラップ１の第１他端部１ｂから浮き上がり、それだけ、押さえが不十分になってしまうという問題があった。
また、頭部１０４の下縁が係合孔１０２の周囲に当接して抜け止めされるが、頭部１０４の下縁は線状なので、それだけ、押さえが弱くなって、この点でも押さえが不十分になってしまうという問題があった。このため、段ボール箱の中に詰めた品物の盛り上がりを押さえることが十分にできずに、段ボール箱の積み上げ時の安定を損ねてしまう原因になっているという問題があった。
更にまた、第１他端部１ｂと第４一端部４ａとを連結する際は、軸部１０２を第１他端部１ｂから引起こし、頭部１０４を湾曲させて係合孔１０２に挿通するが、軸部１０３は小片なのでので、引起こししにくく、また、小さいことから係合孔１０２へ挿通させにくく、連結の操作性が極めて悪いという問題もあった。
【０００６】
本発明は上記の問題点に鑑みて為されたもので、第４フラップ及び第１フラップ同士を面接触により押えることができるようにし、押さえを強固にして、品物の押え機能の向上を図り、また、組み立ての操作性の向上も図った段ボール箱を提供することを目的とする。
【課題を解決するための手段】
【０００７】
このような目的を達成するための本発明の技術的手段は、互いに連続して枠状に形成される４つの矩形状の側壁に基端縁が夫々連設された第１乃至第４フラップを有し、上記第１フラップの第１一端部に該第１一端部に隣接する上記第２フラップの第２他端部を上から重ね、該第２フラップの第２一端部に該第２一端部に隣接する上記第３フラップの第３他端部を上から重ね、該第３フラップの第３一端部に該第３一端部に隣接する上記第４フラップの第４他端部を上から重ね、該第４フラップの第４一端部と上記第１フラップの第１他端部とを連結手段により連結し、上記第１乃至第４フラップの先端縁によって天面に開口を形成して組み立てられる段ボール箱において、
上記連結手段を、上記第１フラップの第１他端部及び上記第４フラップの第４一端部に形成され、上記第４フラップの第４一端部を上記第１フラップの第１他端部の上に重ねた状態で、該第１フラップを引き上げることにより、互いに係合する一方溝及び他方溝で構成し、該一方溝及び他方溝を、該一方溝及び他方溝同士を係合させたとき、上記第１フラップの一方溝より先端縁側の先端角部によって上記第４フラップの他方溝より先端縁側の先端片部を押え、上記第４フラップの他方溝より基端縁側の基端片部によって上記第１フラップの一方溝より基端縁側の基端角部を押えることができるように形成した構成としている。
【０００８】
これにより、第１フラップを引き上げるだけで、第４フラップの第４一端部と第１フラップの第１他端部とを連結することができるので、従来に比較して、ワンタッチの操作で良く、そのため、従来に比較して組み立ての操作性が大幅に向上させられる。そして、組み立てられた状態では、第１フラップの先端角部が第４フラップの先端片部を面接触で押さえ、第４フラップの基端片部が第１フラップの基端角部を面接触で押えるので、浮き上がりが防止され、それだけ、押さえが強固になり、品物の押え機能が向上させられる。そのため、段ボール箱の中に詰めた品物の盛り上がりを抑えることを十分に行なうことができ、段ボール箱の積み上げ時の安定を向上させることができる。また、一方溝及び他方溝が係合するので、連結が強固になり、そのため、第１フラップ及び第４フラップの浮き上がりが確実に防止される。
【０００９】
また、この段ボール箱を製造するときは、例えば、一枚のダンボールを、周知のロール型に入れて成型する。この場合、一方溝及び他方溝の部分を型により切除するが、一方溝及び他方溝は互いに隣接しているので、型の製造が極めて容易になる。また、一方溝及び他方溝のある部分は、１つの段ボール箱において、１つだけなので、多数設ける必要が無く、この点でも、型の製造が極めて容易になる。
【００１０】
そして、必要に応じ、上記一方溝及び他方溝を、上記第１フラップが設けられる側壁と上記第４フラップが設けられる側壁との連設線に沿う基準線に対して、互いに鏡面対象に形成した構成としている。これにより、第１フラップの引き上げの際には、一方溝及び他方溝が、基準線に対して互いに鏡面対象に形成されているので、互いに係合しやすく、この点でも組み立ての操作性が向上させられる。更に、一方溝及び他方溝は、基準線に対して互いに鏡面対象に形成されているので、型の製造が極めて容易になる。
【００１１】
また、必要に応じ、上記一方溝及び他方溝の底部に、上記基準線に対して互いに鏡面対象に形成されるとともに上記第１及び第４フラップの基端縁に平行な方向に切り欠かれ互いに係合する切欠きを設けた構成としている。これにより、一方溝及び他方溝の底部においては、切欠きが互いに係合しており、この切欠きは第１及び第４フラップの基端縁に平行な方向に延びているので、切欠きの係合が外れにくくなり、そのため、天面が確実に閉止され、この点でも、段ボール箱の中に詰めた品物の盛り上がりを抑えることを十分に行なうことができ、段ボール箱の積み上げ時の安定を向上させることができる。
【００１２】
更に、必要に応じ、少なくとも上記第１フラップの先端角部の先端及び上記第４フラップの先端片部の先端を曲線で面取り形成した構成としている。第１フラップの引き上げの際には、主に第１フラップの先端角部の先端及び第４フラップの先端片部の先端が、他と擦れ合うようになることがあるが、これらの先端は曲線で面取り形成されているので、円滑に摺動し、そのため、この点でも組み立ての操作性が向上させられる。
【００１３】
更にまた、必要に応じ、上記第１フラップと上記第４フラップの互いに隣接する側縁を、互いに離間するように基端縁から先端縁に向けて傾斜形成した構成としている。段ボール箱を製造する際、型を用いるが、第１フラップと第４フラップの互いに隣接する側縁が、互いに離間するように基端縁から先端縁に向けて傾斜形成されているので、切断された不要部分が本体から離脱しやすくなっており、それだけ製造が容易に行なわれる。
【発明の効果】
【００１４】
本発明の段ボール箱によれば、第１フラップを引き上げるだけで、第４フラップの第４一端部と第１フラップの第１他端部とを連結することができるので、従来に比較して、ワンタッチの操作で良く、そのため、従来に比較して組み立ての操作性を大幅に向上させることができる。そして、組み立てられた状態では、第１フラップの先端角部が第４フラップの先端片部を面接触で押さえ、第４フラップの基端片部が第１フラップの基端角部を面接触で押えるので、浮き上がりを防止することができ、また、一方溝及び他方溝が係合するので、連結が強固になり、それだけ、押さえが強固になり、品物の押え機能を向上させることができる。このため、段ボール箱の中に詰めた品物の盛り上がりを抑えることを十分に行なうことができ、段ボール箱の積み上げ時の安定を向上させることができる。
【発明を実施するための最良の形態】
【００１５】
以下、添付図面に基づいて、本発明の実施の形態に係る段ボール箱について詳細に説明する。尚、上記と同様のものには同一の符号を付して説明する。
図１乃至図５には、本発明の実施の形態に係る段ボール箱Ｂを示す。この段ボール箱Ｂは、図１及び図２に示すように、互いに連続して枠状に形成される４つの矩形状の側壁１１，１２，１３，１４を有している。１０は側壁１１，１２，１３，１４同士を接合して枠状にするための凸片１０である。４つの側壁１１，１２，１３，１４の下縁部には、夫々、組み合わされあるいは図示外のステープルで止められて底壁２０を構成する４つの底壁フラップ２１，２２，２３，２４が連設されている。
【００１６】
また。４つの側壁１１，１２，１３，１４の上縁部には、夫々、基端縁５が連設された矩形状の第１乃至第４フラップ１，２，３，４が連設されている。第１乃至第４フラップ１，２，３，４は、実施の形態では、図１中、時計回り方向に順次設けられている。反時計回り方向に順次設けられても良い。第１乃至第４フラップ１，２，３，４は組み立てられて天面１５を構成するととともに、第１乃至第４フラップ１，２，３，４の先端縁６によって天面１５に開口１６が形成される。
【００１７】
本段ボール箱Ｂの組み立てにおいて、第１フラップ１の第１一端部１ａには、第１一端部１ａに隣接する第２フラップ２の第２他端部２ｂが上から重ねられ、第２フラップ２の第２一端部２ａには、第２一端部２ａに隣接する第３フラップ３の第３他端部３ｂが上から重ねられ、第３フラップ３の第３一端部３ａには、第３一端部３ａに隣接する第４フラップ４の第４他端部４ｂが上から重ねられる。
そして、第４フラップ４の第４一端部４ａと第１フラップ１の第１他端部１ｂとは連結手段３０により連結される。これにより、第１乃至第４フラップ１，２，３，４により天面１５が構成され、第１乃至第４フラップ１，２，３，４の先端縁６によって天面１５に開口１６が形成される。
【００１８】
連結手段３０は、図１乃至図５に示すように、第１フラップ１の第１他端部１ｂ及び第４フラップ４の第４一端部４ａに形成され、第４フラップ４の第４一端部４ａを第１フラップ１の第１他端部１ｂの上に重ねた状態で、第１フラップ１を引き上げることにより、互いに係合する一方溝３１及び他方溝３２で構成されている。図４及び図５に示すように、一方溝３１及び他方溝３２は、一方溝３１及び他方溝３２同士を係合させたとき、第１フラップ１の一方溝３１より先端縁６側の先端角部３３によって第４フラップ４の他方溝３２より先端縁６側の先端片部３４を押え、第４フラップ４の他方溝３２より基端縁５側の基端片部３６によって第１フラップ１の一方溝３１より基端縁５側の基端角部３５を押えることができるように形成されている。
【００１９】
また、図３に示すように、一方溝３１及び他方溝３２は、第１フラップ１が設けられる側壁１１と第４フラップ４が設けられる側壁１４との連設線１７に沿う基準線Ｐに対して、互いに鏡面対象に形成されている。
更に、図３及び図４に示すように、一方溝３１及び他方溝３２の底部には、基準線Ｐに対して互いに鏡面対象に形成されるとともに上記第１及び第４フラップ４の基端縁５に平行な方向に切り欠かれ互いに係合する舌片状の切欠き４０，４１が設けられている。
【００２０】
更にまた、図３及び図４に示すように、少なくとも第１フラップ１の先端角部３３の先端３３ａ及び第４フラップ４の先端片部３４の先端３４ａは、曲線で面取り形成されている。実施の形態では、第１フラップ１の基端角部３５の先端３５ａ及び第４フラップ４の基端片部３６の先端３６ａも、曲線で面取り形成されている。
また、図３に示すように、第１フラップ１と第４フラップ４の互いに隣接する側縁４２，４３は、互いに離間するように基端縁５から先端縁６に向けて傾斜形成されている。
【００２１】
従って、本発明の実施の形態に係る段ボール箱Ｂを製造するときは、例えば、図２及び図３に示すように、一枚のダンボールを、周知のロール型に入れて成型する。この場合、一方溝３１及び他方溝３２の部分を型により切除するが、一方溝３１及び他方溝３２は互いに隣接しているので、型の製造が極めて容易になる。また、一方溝３１及び他方溝３２のある部分は、１つの段ボール箱Ｂにおいて、１つだけなので、多数設ける必要が無く、この点でも、型の製造が極めて容易になる。更に、一方溝３１及び他方溝３２は、基準線Ｐに対して互いに鏡面対象に形成されているので、この点でも、型の製造が極めて容易になる。また、第１フラップ１と第４フラップ４の互いに隣接する側縁４２，４３が、互いに離間するように基端縁５から先端縁６に向けて傾斜形成されているので、切断された不要部分が本体から離脱しやすくなっており、それだけ製造が容易に行なわれる。そして、フラップの基端縁５等の折られる部分には、周知の折り目が形成される。成型後は、凸片１０において側壁１３，１４同士を接合して枠状に形成され、適宜印刷などが施され、製品となる。
【００２２】
また、本発明の実施の形態に係る段ボール箱Ｂにおいて、内部に品物を収納した状態で天面１５を閉じる際は、以下のようにして行なう。
先ず、図１（ａ）に示すように、第１フラップ１の第１一端部１ａに、第１一端部１ａに隣接する第２フラップ２の第２他端部２ｂを上から重ね、第２フラップ２の第２一端部２ａに、第２一端部２ａに隣接する第３フラップ３の第３他端部３ｂを上から重ね、第３フラップ３の第３一端部３ａに、第３一端部３ａに隣接する第４フラップ４の第４他端部４ｂを上から重ねる。第４フラップ４の第４一端部４ａは、第１フラップ１の第１他端部１ｂの上に重ねた状態にしておく。
【００２３】
次に、図１（ｂ）に示すように、第４フラップ４の第４一端部４ａを第１フラップ１の第１他端部１ｂの上に重ねた状態で、第１フラップ１を引き上げ、連結手段３０の一方溝３１及び他方溝３２を互いに係合させる。これにより、図４及び図５に示すように、第１フラップ１の一方溝３１より先端縁６側の先端角部３３によって、第４フラップ４の他方溝３２より先端縁６側の先端片部３４が押えられ、第４フラップ４の他方溝３２より基端縁５側の基端片部３６によって、第１フラップ１の一方溝３１より基端縁５側の基端角部３５が押えられ、第４フラップ４の第４一端部４ａと第１フラップ１の第１他端部１ｂとが連結される。
【００２４】
この場合、第１フラップ１を引き上げるだけで、第４フラップ４の第４一端部４ａと第１フラップ１の第１他端部１ｂとを連結することができるので、従来に比較して、ワンタッチの操作で良く、そのため、従来に比較して組み立ての操作性が大幅に向上させられる。
また、第１フラップ１の引き上げの際には、一方溝３１及び他方溝３２が、基準線Ｐに対して互いに鏡面対象に形成されているので、互いに係合しやすく、この点でも組み立ての操作性が向上させられる。更に、第１フラップ１を引き上げる際には、主に第１フラップ１の先端角部３３の先端３３ａ及び第４フラップ４の先端片部３４の先端３４ａが、他と擦れ合うようになることがあるが、これらの先端は曲線で面取り形成されているので、円滑に摺動し、そのため、この点でも組み立ての操作性が向上させられる。
【００２５】
そして、組み立てられた状態では、第１フラップ１の先端角部３３が第４フラップ４の先端片部３４を面接触で押さえ、第４フラップ４の基端片部３６が第１フラップ１の基端角部３５を面接触で押えるので、浮き上がりが防止され、それだけ、押さえが強固になり、品物の押え機能が向上させられる。そのため、段ボール箱Ｂの中に詰めた品物の盛り上がりを抑えることを十分に行なうことができ、段ボール箱Ｂの積み上げ時の安定を向上させることができる。
【００２６】
また、一方溝３１及び他方溝３２が係合するので、連結が強固になり、そのため、第１フラップ１及び第４フラップ４の浮き上がりが確実に防止される。特に、一方溝３１及び他方溝３２の底部においては、切欠き４０，４１が互いに係合しており、この切欠き４０，４１は第１フラップ１及び第４フラップ４の基端縁５に平行な方向に延びているので、切欠き４０，４１の係合が外れにくくなっており、そのため、天面１５が確実に閉止され、この点でも、段ボール箱Ｂの中に詰めた品物の盛り上がりを抑えることを十分に行なうことができ、段ボール箱Ｂの積み上げ時の安定を向上させることができる。
【００２７】
尚、上記の実施の形態において、第１乃至第４フラップ１，２，３，４は、時計回り方向に順次設けられているが、必ずしもこれに限定されるものではなく、反時計回り方向に順次設けるようにしても良い。このことは、即ち、上記実施の形態において、第４フラップ４の第４他端部４ｂに、この第４他端部４ｂに隣接する第３フラップ３の第３一端部３ａを上から重ね、第３フラップ３の第３他端部３ｂに、この第３他端部３ｂに隣接する第２フラップ２の第２一端部２ａを上から重ね、第２フラップ２の第２他端部２ｂに、この第２他端部２ｂに隣接する第１フラップ１の第１一端部１ａを上から重ね、第１フラップ１の第１他端部１ｂを、この第１他端部１ｂに隣接する第４フラップ４の第４一端部４ａに上から重ね、次に、この状態で、第４フラップ４を引き上げ、、第４フラップ４の他方溝３２より先端縁６側の先端片部３４によって第１フラップ１の一方溝３１より先端縁６側の先端角部３３を押え、第１フラップ１の一方溝３１より基端縁５側の基端角部３５により第４フラップ４の他方溝３２より基端縁５側の基端片部３６を押えることを意味する。
【図面の簡単な説明】
【００２８】
【図１】本発明の実施の形態に係る段ボール箱をその組み立て手順とともに示す斜視図である。
【図２】本発明の実施の形態に係る段ボール箱を示す展開図である。
【図３】本発明の実施の形態に係る段ボール箱の連結手段を示す拡大展開図である。
【図４】本発明の実施の形態に係る段ボール箱において天面を閉止した際の連結手段の状態を示す平面図である。
【図５】本発明の実施の形態に係る段ボール箱において天面を閉止した際の連結手段の状態を示す図４中Ａ−Ａ線断面図である。
【図６】従来の段ボール箱の一例をその組み立てた状態で示す斜視図である。
【図７】従来の段ボール箱の不具合を示す部分断面である。
【符号の説明】
【００２９】
Ｂ  段ボール箱
１  第１フラップ
１ａ  第１一端部
１ｂ  第１他端部
２  第２フラップ
２ａ  第２一端部
２ｂ  第２他端部
３  第３フラップ
３ａ  第３一端部
３ｂ  第３他端部
４  第４フラップ
４ａ  第４一端部
４ｂ  第４他端部
５  基端縁
６  先端縁
１０  凸片
１１，１２，１３，１４  側壁
１５  天面
１６  開口
１７  連設線
２０  底壁
２１，２２，２３，２４  底壁フラップ
３０  連結手段
３１  一方溝
３２  他方溝
３３  先端角部
３４  先端片部
３５  基端角部
３６  基端片部
Ｐ  基準線
４０，４１  切欠き
４２，４３  側縁
【図１】
2008201445.tif 000003
【図２】
2008201445.tif 000004
【図３】
2008201445.tif 000005
【図４】
2008201445.tif 000006
【図５】
2008201445.tif 000007
【図６】
2008201445.tif 000008
【図７】
2008201445.tif 000009